(57)【要約】      （修正有）【課題】ヒップベルトに曲面を形成してリュックサックの荷重のより効果的な使用者への伝達、使用者の背骨の適正な矯正効果等を発揮できるリュックサックを提供する。【解決手段】袋本体、背面パネル、背負いベルト、ヒップベルトを備えたリュックサックにおいて、左右のヒップベルトは、一方のコーナー部にコーナーカット部を形成し他方に曲線状カット部を形成するパッド材と、両表生地の連結形状がパッド材と略同一でコーナーカット部を形成し下辺を曲線状カット部の上方側形状に対応する形状とする第１表生地６Ａと、上辺を曲線状カット部の下方側形状に対応する形状とする第２表生地６Ｂと、パッド材と略同一形状でコーナーカット部を形成する裏生地６Ｃと、により構成され、第１表生地下辺部と第２表生地上辺部、表生地と裏生地の各上辺、下辺及び先端辺部が縫合されて開口部７１を有する袋状体７を形成し、開口部からパッド材を挿入して、人体方向に向けた幅方向曲面Ｃを形成する。【選択図】図３
0003200115.tif 000002
【実用新案登録請求の範囲】
【請求項１】
荷物を収容する袋本体と、肩甲骨パッド及び腰椎パッドが配設される背面パネルと、使用者の肩に掛けられる背負いベルトと、腰骨を包囲するように装着されるヒップベルトと、を備えたリュックサックにおいて、前記ヒップベルトは左右のベルトからなり、それぞれのヒップベルトは、
腰椎パッド側の一方のコーナー部に斜めに切断されたコーナーカット部を形成し、他方のコーナー部に端部から中央部付近に亘り開口部を広くした先細り曲線状カット部を形成する所定厚さの四角状パッド材と、
第１、第２の表生地を連結した形状が前記パッド材と略同一であり、腰椎パッド側の一方のコーナー部の前記パッド材のコーナーカット部に対応する部位にコーナーカット部を形成し、下辺をパッド材の曲線状カット部の上方側形状に対応する形状とする第１の表生地と、上辺を曲線状カット部の下方側形状に対応する形状とする第２の表生地と、前記パッド材と略同一形状であり、腰椎パッド側の一方のコーナー部の前記パッド材のコーナーカット部に対応する部位にコーナーカット部を形成する裏生地と、により構成され、
前記第１の表生地の下辺部と第２の表生地の上辺部とが縦幅方向において人体方向に向けて湾曲するように縫合され、縫合された表生地と裏生地の上辺部、下辺部及び先端辺部のそれぞれが縫合されて腰椎パッド側の辺部が開口された伸縮性を有する袋状体を形成し、開口部から内部に前記パッド材が挿入された後表生地と裏生地のそれぞれの腰椎パッド側の辺部が縫合され、そして第１の表生地下辺と第２の表生地上辺との縫合部に沿って表生地と裏生地とが縫い合わされた後に前記腰椎パッドに取り付けられ、縦幅方向において人体方向に向けた曲面を形成することを特徴とするリュックサック。
【請求項２】
荷物を収容する袋本体と、肩甲骨パッド及び腰椎パッドが配設される背面パネルと、使用者の肩に掛けられる背負いベルトと、使用者の腰骨を包囲するように装着されるヒップベルトと、を備えたリュックサックにおいて、前記ヒップベルトは左右のベルトからなり、それぞれのヒップベルトは、
腰椎パッド側のコーナー部の上下にそれぞれ斜めに切断された第１及び第２のコーナーカット部を形成する所定厚さの四角状パッド材と、
それぞれの生地が前記パッド材と略同一形状であり、各生地の腰椎パッド側のコーナー部の上下に、前記パッド材の各コーナーカット部に対応する部位にそれぞれ第１及び第２のコーナーカット部を形成する表生地及び裏生地と、により構成され、
前記表生地と裏生地の上辺部、下辺部及び先端辺部のそれぞれが縫合されて腰椎パッド側の辺部が開口された伸縮性を有する袋状体を形成し、開口部から内部に前記パッド材が挿入された後表生地と裏生地の腰椎パッド側の辺部が縫合された後に前記腰椎パッドに取り付けられ、縦幅方向において人体方向に向けた曲面を形成することを特徴とするリュックサック。
【請求項３】
前記第１の表生地及び裏生地の腰椎パッド側の辺部を直線状とし、それぞれの生地に形成されるコーナーカット部に代えて腰椎パッド側の一方のコーナー部付近にＶ字状の任意数の襞を形成するダーツを作製し、開口部から袋状体の内部に前記パッド材を挿入した後、縦幅方向において人体方向に向けて湾曲するように襞部を縫い合せ、そして表生地と裏生地の腰椎パッド側の辺部が縫合されることを特徴とする請求項１に記載のリュックサック。
【請求項４】
前記表生地及び裏生地の腰椎パッド側の辺部を直線状とし、それぞれの生地のコーナー部の上下に形成されるコーナーカット部に代えて腰椎パッド側の上下のコーナー部付近にＶ字状の任意数の襞を形成する第１及び第２のダーツを作製し、開口部から袋状体の内部に前記パッド材を挿入した後、縦幅方向において人体方向に向けて湾曲するようにそれぞれの襞部を縫い合せ、そして表生地と裏生地の腰椎パッド側の辺部が縫合されることを特徴とする請求項２に記載のリュックサック。
【請求項５】
前記袋状体が形成された後に当該袋状体の表裏を返して、裏返された袋状体にパッド材が挿入されることを特徴とする請求項１〜４のいずれかに記載のリュックサック。
【請求項６】
前記左右のヒップベルトの腰椎パッド側の辺部のそれぞれが、腰椎パッドの両側辺部に縫い付けられることを特徴とする請求項１〜５のいずれかに記載のリュックサック。
【請求項７】
荷物を収容する袋本体と、肩甲骨パッド及び腰椎パッドが配設される背面パネルと、使用者の肩に掛けられる背負いベルトと、腰骨を包囲するように装着されるヒップベルトと、を備えたリュックサックにおいて、前記ヒップベルトは、
中央部の縦幅を広く両端部の縦幅を狭くして、中心縦線を基準にして左右対称の長四角状に形成され、Ｖ字状の第１及び第２の切り欠き部並びに第３及び第４の切り欠き部が腰椎パッドの左右側近傍に位置する部位の上辺部及び下辺部にそれぞれ形成された所定厚さの長四角状パッド材と、
第１と第２の表生地を連結した形状が前記パッド材と略同一であり、前記パッド材の左側に形成される第１、第２の切り欠き部のそれぞれに対応する部位にＶ字状の任意数の襞を形成する第１及び第２のダーツが作製される第１の表生地と、前記パッド材の右側に形成される第３、第４の切り欠き部のそれぞれに対応する部位にＶ字状の任意数の襞を形成する第３及び第４のダーツが作製される第２の表生地と、前記パッド材と略同一形状である裏生地と、により構成され、
前記第１と第２の表生地の中央部分を重ね合せ、重ね合せ部の上辺部と下辺部が縫合されて開口部を形成し、開口部が形成された表生地と裏生地の開口部を除く各周辺部並びにそれぞれのダーツの襞部が縦幅方向において人体方向に向けて湾曲するように縫合されて伸縮性を有する袋状体を形成し、開口部から内部に前記パッド材が挿入された後、開口部が縫い通されて縦幅方向において人体方向に向けた曲面を形成し、腰椎パッドに形成されるヒップベルトが貫通可能なヒップベルト貫通部にヒップベルトを貫通させてヒップベルトの中心部分を固定手段により腰椎パッドに固定され取り付けられることを特徴とするリュックサック。
【請求項８】
荷物を収容する袋本体と、肩甲骨パッド及び腰椎パッドが配設される背面パネルと、使用者の肩に掛けられる背負いベルトと、腰骨を包囲するように装着されるヒップベルトと、を備えたリュックサックにおいて、前記ヒップベルトは、
中央部の縦幅を広く両端部の縦幅を狭くして中心縦線を基準にして左右対称の長四角状に形成され、腰椎パッドの左右側近傍に位置する部位の上辺部の左右にＶ字状の第１及び第２の切り欠き部が形成され、当該部位の下辺部の左右に端部を開口し開口部を広くして開口部からパッド材の端部側に向けた先細り曲線状カット部がそれぞれ形成された所定厚さの長四角状パッド材と、
第１及び第２の生地と第３及び第４の生地とにそれぞれ２つに分割された左右の生地からなり、第１〜第４の表生地全体を連結した形状が前記パッド材と略同一であり、前記パッド材に形成されるＶ字状の第１、第２の切り欠き部に対応する部位にＶ字状の任意数の襞を形成する第１、第２のダーツがそれぞれの上辺部に作製され、パッド材の曲線状カット部の上方側形状に対応する形状をそれぞれの下辺部に形成する第１、第３の表生地と、第１、第３の表生地にそれぞれ結合される生地であって、それぞれの上辺を曲線状カット部の下方側形状に対応する形状とする第２、第４の表生地と、前記パッド材と略同一形状である裏生地と、により構成され、
前記第１の表生地の下辺部と第２の表生地の上辺部、そして第３の表生地の下辺部と第４の表生地の上辺部とがそれぞれ縦幅方向において人体方向に向けて湾曲するように縫合され、縫合された左右の表生地の中央部分を重ね合せ、重ね合せ部の上辺部と下辺部が縫合されて開口部を形成し、開口部が形成された表生地と裏生地の開口部を除く各周辺部並びにそれぞれのダーツの襞部が縦幅方向において人体方向に向けて湾曲するように縫合されて伸縮性を有する袋状体を形成し、開口部から内部に前記パッド材が挿入された後、開口部が縫合されて、そして第１の表生地の下辺部と第２の表生地の上辺部との縫合部並びに第３の表生地の下辺部と第４の表生地の上辺部との縫合部に沿って表生地と裏生地とが縫い合わされて縦幅方向において人体方向に向けた曲面を形成し、腰椎パッドに形成されるヒップベルトが貫通可能なヒップベルト貫通部にヒップベルトを貫通させてヒップベルトの中心部分を固定手段により腰椎パッドに固定され取り付けられることを特徴とするリュックサック。
【請求項９】
パッド材の素材が、ＥＶＡ樹脂、ポリエチレンフォーム又はこれらの素材にポリウレタンフォームを貼り合せたものから選ばれるいずれか一つで耐衝撃性、柔軟性を有する発泡材であることを特徴とする請求項１〜８のいずれかに記載のリュックサック。
【請求項１０】
前記表生地の素材が伸縮性を有するナイロン又はポリエステルであり、裏生地の素材がメッシュ又は伸縮性を有するポリエステルであることを特徴とする請求項１〜９のいずれかに記載のリュックサック。
【考案の詳細な説明】
【技術分野】
【０００１】
本考案は、ナップサック、バックパック等の背負バッグを含むリュックサックに関し、特に、登山やトレッキングなどに使用されるリュックサックその他ある程度重量のあるものを運ぶための背負いバッグ等のヒップベルトの構造に関する。
【背景技術】
【０００２】
一般的なリュックサックは、荷物を収容する袋本体、背面パネル（バックパネル）、背負いベルト（ショルダーハーネス）、ヒップベルト（腰ベルト）から構成されており、背面パネルには少なくとも肩甲骨パッド（スカピュラーパッド）と腰椎パッド（ランバーパッド）が配置され、肩甲骨パッドの上端に背負いベルトが、腰椎パッドにヒップベルトがそれぞれ取り付けられている。
【０００３】
リュックサックは、古くは背負いベルトのみを取り付けた構造となっており、使用者はリュックサックの荷重の大部分を背負いベルトを通じて肩、特に僧帽筋と言われる筋肉部分で支え、荷重の一部を背中で支えていた。肩、背中への過剰な加重によって筋肉痛、血管圧迫による腕の血行障害などを引き起こし、また長時間の荷重による背筋（脊柱起立筋）の疲労により、背骨（胸椎）の正常な形状を保てなくなり腰痛などを引き起こす要因となっていた。
【０００４】
その後、背面パネルの内側又は外側に金属フレームを装備し、さらに厚みのあるパッドと幅のあるヒップベルトを装備するリュックサックが開発され、肩と背中への荷重から腰骨へも荷重を分散することが可能となり、使用者の肉体的な疲労の軽減が可能となった。すなわち、ヒップベルトが腰骨を包むような位置で締めた時にリュックサックの荷重が金属フレームとヒップベルトを通じて使用者の腰骨へも直接伝わるようになり、リュックサックの快適性が向上した。またヒップベルトを締めることにより背筋（脊柱起立筋）へのサポートを行って腰痛予防にも繋がるものである。
【０００５】
このような経緯を踏まえたヒップベルトの構成に関する先行文献として特許文献１、２が存在する。特許文献１は、ヒップベルトが左ベルトと右ベルトが連結手段を介して連結されることにより構成され、連結手段（ベルクロファスナ（商標））は左ベルトと右ベルトの互いの連結位置を一定の範囲内で調節可能に構成することにより、使用者の腰骨回りの形状に適合するように調整可能とされた構成の背負バッグを開示するもので、ヒップベルトを調節可能として使用者の体格に充分に適合した状態でヒップベルトを装着可能とし、背負バッグの荷重を均一に使用者の体に作用せしめるようにした背負バッグを提供することを目的とする。
【０００６】
特許文献２は、ヒップパッド２４が取り付けられる柔軟なプレート２５をヒップベルト２３に設け、該柔軟プレート２５を腰プレート１４の両側部に調整可能に取り付けてヒップパッド２４を最適位置に調整できるようにしたリュックサック（請求項７）、並びに腰プレート１４の両側に孔２６を設け、ヒップベルト２３の上記柔軟プレート２５にそれらに対応する孔２７を列をなすように設け、それぞれ整列した孔２６、２７に差し込まれるペグ２８により上記柔軟プレート２５を種々の位置において腰プレート１４に選択可能に取り付けるようにしたリュックサック（請求項８）を開示するもので、腰プレート両側に設けられた孔とヒップベルトのプレートに設けられた孔とをそれぞれ整列させてペグを差込み、プレートを任意の位置において腰部プレートに取り付け得るようにして、ヒップパッドを最適位置に調整できるようにすることにより使用者の体格や好みに応じてヒップベルトを容易に調整できるようにすることを目的とするものである。
【０００７】
特許文献１、２は連結手段（ベルクロファスナ（商標））、孔と差し込まれるペグを備えることによって、ヒップパッドを最適位置に調整できるようにして使用者の体格等に応じてヒップベルトを容易に使用者に装着させることができるようにするものである。
【０００８】
上記特許文献１、２に開示されたヒップベルトを含め従来のヒップベルトにおいては、さらなる荷重伝達性、快適性を目指して、ウエストに当たるヒップベルトの上縁部とヒップに当たるヒップベルトの下縁部の寸法に差をつけて、腰に締めた時に下縁部が広がるような形状（コニカルシェープ形状）としている。しかしながら、このようなコニカルシェープ形状ヒップベルトにおいても十分に満足のいく性能を持っていないのが現状である。
【０００９】
従来のコニカルシェープ形状のヒップベルトは、ヒップベルト取り出し位置（腰椎脇）から先端部に向けて緩いカーブを形成し、腰に締めた時に胴のくびれに沿うように上方側が狭まり、下方側が広がった形状となる。しかしながら、人間の体のウエスト部には背骨があるのみで残りは筋肉であり、腸骨稜部（iliac crest）は筋肉よりもむしろ大きな骨盤（腸骨、仙骨などの癒着集合体）で占められている。さらに下部のヒップ部分は骨盤の上を臀部の筋肉が覆っている。従って、ウエスト部から腰骨部、ヒップ部に至る身体の形状は曲面を形成しており、平坦面（直線状）で展開される従来のヒップベルトでは身体の曲面形状との間の上下の縁に隙間が生じるため、コニカルシェープを形成してもウエスト部からヒップ部に至る身体全域にわたるフィットは期待できず、多くの場合硬く大きな腸骨稜部へのプレッシャーが大きくなり、その分ウエスト部およびヒップ部に隙間が生ずるケースが多く生じてしまうことになる。
【００１０】
したがって、次のような問題点が発生する。
（１）腸骨稜部（iliac crest）への集中的な圧迫により痛みが生じ、ベルトをしっかり締めることができなくなる。最悪の場合は使用終了後も数日にわたり傷みが残る傷害が発生する場合がある。
（２）ヒップベルトを締めた時に生じる腰とヒップベルトとの間の空隙により充分な荷重伝達が行われない。リュックサックの重量が大きくなればさらにその空隙、特に腰椎脇部の空隙は顕著になり、荷重が腰へ伝達されない分、肩への荷重が増えてしまう。
（３）上記（１）の局部圧迫、（２）の空隙の発生によって、充分な脊柱起立筋へのサポートが行えない。リュックサックの容量が大きく重量が大きくなる場合、また体力の落ちている高年齢層などの使用者への対応としては大きな問題となる。
ここでサポート機能について説明すると、例えば、腕、指の力を抜いた状態で反対の手で手首を握ると手の指が手を握るように動作する。このような手の動きを利用したものとしてテニスなどのリストバンドがあり握力の疲労軽減を図るものである。また重量挙げの選手がバーベルを持ち上げる際には腰にベルトをきつく締め背筋を伸ばした姿勢で行う。これにより脊柱起立筋をサポートして背骨を正しい形状に保ち、大きな荷重に耐えられるようにしている。
【先行技術文献】
【特許文献】
【００１１】
【特許文献１】特開平６−１１０号公報
【特許文献２】特公平１−５７５６７号公報
【考案の概要】
【考案が解決しようとする課題】
【００１２】
本考案は、前述した従来技術の問題点を解消するべくなされたものであり、人体のウエスト部から腰骨部、ヒップ部に至る身体の形状が曲面を形成していることに着目して、腰骨からヒップ部に至る部位を包囲するヒップベルトを、従来の平坦面（直線状）に展開される構造から曲面を形成する構造としたものである。
【００１３】
本考案は、ヒップベルトに曲面を形成してリュックサックの荷重のより効果的な使用者への伝達、使用者の背骨の適正な矯正効果並びに優れた快適性を発揮できると共に構造が簡単で製法が容易なリュックサックを提供することを課題とする。
【課題を解決するための手段】
【００１４】
第１の考案は、荷物を収容する袋本体１と、肩甲骨パッドＳＰ及び腰椎パッドＬＰが配設される背面パネル２と、使用者の肩に掛けられる背負いベルト３と、腰骨を包囲するように装着されるヒップベルト４と、を備えたリュックサックにおいて、前記ヒップベルトは左右のベルトからなり、それぞれのヒップベルトは、腰椎パッド側の一方のコーナー部に斜めに切断されたコーナーカット部５１を形成し、他方のコーナー部に端部から中央部付近に亘り開口部を広くした先細り曲線状カット部５２を形成する所定厚さの四角状パッド材５と、第１、第２の表生地を連結した形状が前記パッド材と略同一であり、腰椎パッド側の一方のコーナー部の前記パッド材のコーナーカット部５１に対応する部位にコーナーカット部６１を形成し、下辺６１ＤＬをパッド材の曲線状カット部の上方側形状５２ＵＬに対応する形状とする第１の表生地６Ａと、上辺６１ＵＬを曲線状カット部の下方側形状５２ＤＬに対応する形状とする第２の表生地６Ｂと、前記パッド材と略同一形状であり、腰椎パッド側の一方のコーナー部の前記パッド材のコーナーカット部５１に対応する部位にコーナーカット部６２を形成する裏生地６Ｃと、により構成され、前記第１の表生地の下辺部６１ＤＬと第２の表生地の上辺部６１ＵＬとが縦幅方向において人体方向に向けて湾曲するように縫合され（Ｓ１）、縫合された表生地６Ａ・Ｂと裏生地６Ｃの上辺部（Ｓ２）、下辺部（Ｓ３）及び先端辺部（Ｓ４）のそれぞれが縫合されて腰椎パッド側の辺部７２が開口された伸縮性を有する袋状体７を形成し、開口部７１から内部に前記パッド材５が挿入された後表生地と裏生地のそれぞれの腰椎パッド側の辺部７２が縫合され（Ｓ５）、そして第１の表生地下辺と第２の表生地上辺との縫合部Ｓ１に沿って表生地と裏生地とが縫い合わされた（Ｓ６）後に前記腰椎パッドに取り付けられ、縦幅方向において人体方向に向けた曲面Ｃを形成することを特徴とするリュックサックである。
【００１５】
第１の考案において前記第１の表生地６Ａ及び裏生地６Ｃの腰椎パッド側の辺部７２を直線状とし、それぞれの生地に形成されるコーナーカット部６１、６２に代えて腰椎パッド側の一方のコーナー部付近にＶ字状の任意数の襞を形成するダーツ８を作製し、開口部７１から袋状体７の内部に前記パッド材５を挿入した後、襞部を縦幅方向において人体方向に向けて湾曲するように縫い合せ、そして表生地と裏生地の腰椎パッド側の辺部７２が縫合されることを特徴とする。
【００１６】
第２の考案は、袋本体１、肩甲骨パッドＳＰ及び腰椎パッドＬＰが配設される背面パネル２、背負いベルト３、ヒップベルト４を備えたリュックサックにおいて、前記ヒップベルトは左右のベルトからなり、それぞれのヒップベルトは、腰椎パッド側のコーナー部の上下にそれぞれ斜めに切断された第１及び第２のコーナーカット部１５１，１５２を形成する所定厚さの四角状パッド材１５と、それぞれの生地が前記パッド材と略同一形状であり、各生地の腰椎パッド側のコーナー部の上下に、前記パッド材の各コーナーカット部に対応する部位にそれぞれ第１及び第２のコーナーカット部１６１、１６２、１６３、１６４を形成する表生地１６Ａ及び裏生地１６Ｃと、により構成され、前記表生地と裏生地の上辺部（Ｓ２）、下辺部（Ｓ３）及び先端辺部（Ｓ４）のそれぞれが縫合されて腰椎パッド側の辺部１７２が開口された伸縮性を有する袋状体１７を形成し、開口部１７１から内部に前記パッド材１５が挿入された後表生地と裏生地の腰椎パッド側の辺部１７２が縫合された（Ｓ５）後に前記腰椎パッドに取り付けられ、縦幅方向において人体方向に向けた曲面Ｃを形成することを特徴とするリュックサックである。
【００１７】
第２の考案において前記表生地１６Ａ及び裏生地１６Ｃの腰椎パッド側の辺部１７２を直線状とし、それぞれの生地のコーナー部の上下に形成されるコーナーカット部１６１，１６２、１６３、１６４に代えて腰椎パッド側の上下のコーナー部付近にＶ字状の任意数の襞を形成する第１及び第２のダーツ１８Ａ、１８Ｂを作製し、開口部１７１から袋状体の内部に前記パッド材１５を挿入した後、縦幅方向において人体方向に向けて湾曲するようにそれぞれの襞部を縫い合せ、そして表生地と裏生地の腰椎パッド側の辺部１７２が縫合されることを特徴とする。
【００１８】
第１、第２の考案において、袋状体７、１７が形成された後に当該袋状体の表裏を返して、裏返された袋状体にパッド材５、１５が挿入されることを特徴とする。また、前記左右のヒップベルト４１、４２、４３、４４の腰椎パッド側の辺部７２、１７２のそれぞれが、腰椎パッドの両側辺部ＬＰＬ、ＬＰＲに縫い付けられる（Ｓ７）ことを特徴とする。
【００１９】
第３の考案は、袋本体１、肩甲骨パッドＳＰ及び腰椎パッドＬＰが配設される背面パネル２、背負いベルト３、ヒップベルト４を備えたリュックサックにおいて、前記ヒップベルトは、中央部の縦幅を広く両端部の縦幅を狭くして、中心縦線を基準にして左右対称の長四角状に形成され、Ｖ字状の第１及び第２の切り欠き部９Ａ、９Ｂ並びに第３及び第４の切り欠き部９Ｃ、９Ｄが腰椎パッドの左右側近傍に位置する部位の上辺部及び下辺部にそれぞれ形成された所定厚さの長四角状パッド材２５と、第１と第２の表生地を連結した形状が前記パッド材と略同一であり、前記パッド材の左側に形成される第１、第２の切り欠き部のそれぞれに対応する部位にＶ字状の任意数の襞を形成する第１及び第２のダーツ２８Ａ、２８Ｂが作製される第１の表生地２６Ａと、前記パッド材の右側に形成される第３、第４の切り欠き部のそれぞれに対応する部位にＶ字状の任意数の襞を形成する第３及び第４のダーツ２８Ｃ、２８Ｄが作製される第２の表生地２６Ｂと、前記パッド材と略同一形状である裏生地２６Ｃと、により構成され、前記第１と第２の表生地の中央部分を重ね合せ、重ね合せ部２６２の上辺部と下辺部が縫合されて（Ｓ１１、Ｓ１２）開口部２６１を形成し、開口部が形成された表生地２６Ａ・Ｂと裏生地２６Ｃの開口部を除く各周辺部並びにそれぞれのダーツの襞部が縦幅方向において人体方向に向けて湾曲するように縫合されて（Ｓ１３〜１６）伸縮性を有する袋状体２７を形成し、開口部２６１から内部に前記パッド材２５が挿入された後、開口部が縫い通されて（Ｓ１７）縦幅方向において人体方向に向けた曲面Ｃを形成し、腰椎パッドに形成されるヒップベルトが貫通可能なヒップベルト貫通部９１にヒップベルトを貫通させてヒップベルトの中心部分を固定手段９２により腰椎パッドに固定され取り付けられることを特徴とするリュックサックである。
【００２０】
第４の考案は、袋本体１、肩甲骨パッドＳＰ及び腰椎パッドＬＰが配設される背面パネル２、背負いベルト３、ヒップベルト４を備えたリュックサックにおいて、前記ヒップベルトは、中央部の縦幅を広く両端部の縦幅を狭くして中心縦線を基準にして左右対称の長四角状に形成され、腰椎パッドの左右側近傍に位置する部位の上辺部の左右にＶ字状の第１及び第２の切り欠き部１０Ａ、１０Ｂが形成され、当該部位の下辺部の左右に端部を開口し開口部を広くして開口部からパッド材の端部側に向けた先細り曲線状カット部５３、５４がそれぞれ形成された所定厚さの長四角状パッド材３５と、第１及び第２の生地と第３及び第４の生地とにそれぞれ２つに分割された左右の生地からなり、第１〜第４の表生地全体を連結した形状が前記パッド材と略同一であり、前記パッド材に形成されるＶ字状の第１、第２の切り欠き部１０Ａ、１０Ｂに対応する部位にＶ字状の任意数の襞を形成する第１、第２のダーツ３８Ａ、３８Ｂがそれぞれ上辺部に作製され、パッド材の曲線状カット部の上方側形状５３ＵＬ、５４ＵＬに対応する形状をそれぞれの下辺部３６１ＤＬ、３６３ＤＬに形成する第１、第３の表生地３６Ａ、３６Ｃと、第１、第３の表生地にそれぞれ結合される生地であって、それぞれの上辺を曲線状カット部の下方側形状５３ＤＬ、５４ＤＬに対応する形状とする第２、第４の表生地３６Ｂ、３６Ｄと、前記パッド材と略同一形状である裏生地３６Ｅと、により構成され、前記第１の表生地の下辺部３６１ＤＬと第２の表生地の上辺部３６２ＵＬ、そして第３の表生地の下辺部３６３ＤＬと第４の表生地の上辺部３６４ＵＬとがそれぞれ縦幅方向において人体方向に向けて湾曲するように縫合され（Ｓ１８、Ｓ１９）、縫合された左右の表生地の中央部分を重ね合せ、重ね合せ部３６２の上辺部と下辺部が縫合されて開口部３６１を形成し、開口部が形成された表生地３６Ａ・Ｂ・Ｃ・Ｄと裏生地３６Ｅの開口部を除く各周辺部並びにそれぞれのダーツの襞部が縦幅方向において人体方向に向けて湾曲するように縫合されて（Ｓ２３、Ｓ２４）伸縮性を有する袋状体３７を形成し、開口部３６１から内部に前記パッド材３５が挿入された後開口部が縫合され（Ｓ２０）、そして第１の表生地の下辺部と第２の表生地の上辺部との縫合部Ｓ１８並びに第３の表生地の下辺部と第４の表生地の上辺部との縫合部Ｓ１９に沿って、表生地と裏生地とが縫い縫い合わされて（Ｓ２１、Ｓ２２）縦幅方向において人体方向に向けた曲面Ｃを形成し、腰椎パッドＬＰに形成されるヒップベルトが貫通可能なヒップベルト貫通部９１にヒップベルトを貫通させてヒップベルトの中心部分を固定手段９２により腰椎パッドに固定され取り付けられることを特徴とするリュックサックである。
【００２１】
本考案におけるパッド材の素材が、ＥＶＡ樹脂、ポリエチレンフォーム又はこれらの素材にポリウレタンフォームを貼り合せたもので耐衝撃性、柔軟性を有する発泡材であり、本考案における表生地の素材が伸縮性を有するナイロン又はポリエステルであり、裏生地の素材がメッシュ又は伸縮性を有するポリエステルであることを特徴とする。
【考案の効果】
【００２２】
本考案は、腰骨からヒップ部に至る部位を包囲するヒップベルトを人間の体のウエスト部から腰骨部、ヒップ部に至る身体の形状に対応した曲面を形成する構造としている。これにより、特に比較的大容量の袋本体を有する登山やハイキングに使用されるリュックサックにおいてリュックサックの荷重が均一に使用者の体、特に肩、背中、腰に作用することとなり、リュックサックの快適性が向上すると共にヒップベルトを締めることにより背筋（脊柱起立筋）へのサポートを行って腰痛予防にも繋がるものである。
【図面の簡単な説明】
【００２３】
【図１】本考案に係るリュックサックの全体構成を示す背面図である。
【図２】本考案に係るヒップベルトの第１実施形態の構成例を示す図であり、（Ａ）は２分割された表生地の平面図、（Ｂ）は裏生地の平面図、（Ｃ）はパッド材の平面図である。
【図３】第１実施形態の構成例に係る袋状体の製作手順を説明する図である。
【図４】第１実施形態の構成例に係るパッド材の挿入並びに挿入後の袋状体の製作手順を説明する図である。
【図５】本考案に係るヒップベルトの第２実施形態の構成例を示す図であり、（Ａ）は表生地の平面図、（Ｂ）は裏生地の平面図、（Ｃ）はパッド材の平面図である。
【図６】第２実施形態の構成例に係る袋状体の製作手順を説明する図である。
【図７】本考案に係る表生地の他の構成例を示すもので、（Ａ）は第１実施形態の構成例の表生地、（Ｂ）は第２実施形態の構成例の表生地の構成を示す図である。
【図８】本考案に係るヒップベルトの腰椎パッドへの取り付けを説明する図であり、（Ａ）は第１実施形態の構成例の取り付け状態、（Ｂ）は第２実施形態の構成例の取り付け状態を説明する図である。
【図９】本考案に係るヒップベルトの第３実施形態の構成例を示す図であり、（Ａ）は２分割された表生地の平面図、（Ｂ）は裏生地の平面図、（Ｃ）はパッド材の平面図である。
【図１０】第３実施形態の構成例に係る袋状体の製作手順並びにパッド材の挿入を説明する図である。
【図１１】第３実施形態の構成例に係る袋状体の製作手順（Ａ）並びに腰椎パッドへの取り付け状態（Ｂ）を説明する図である。
【図１２】本考案に係るヒップベルトの第４実施形態の構成例を示す図であり、（Ａ）は４つの生地からなる表生地の平面図、（Ｂ）は裏生地の平面図、（Ｃ）はパッド材の平面図である。
【図１３】第４実施形態の構成例に係る袋状体の製作手順並びにパッド材の挿入を説明する図である。
【図１４】第４実施形態の構成例に係る袋状体の製作手順（Ａ）並びに腰椎パッドへの取り付け状態（Ｂ）を説明する図である。
【考案を実施するための形態】
【００２４】
以下、添付図を参照しつつ本考案に係るリュックサック（以下、「本リュックサック」という）の実施の形態について説明する。図１は本リュックサックの全体構成の概略を示す背面図であり、図１において左側の背負いベルトは折り曲げた状態、右側は広げた状態を示し、左側のヒップベルトは折り曲げた状態、右側は広げた状態を示している。本リュックサックは、図１に示すように荷物を収容する袋本体１、肩甲骨パッドＳＰ及び腰椎パッドＬＰが配設される背面パネル２、使用者の肩に掛けられる背負いベルト３、腰骨を包囲するように装着されるヒップベルト４を備えている。背面パネル２にはパッドの他に金属フレーム等を装着することができる。
【００２５】
ヒップベルトの左右両端部にはテープＴが取り付けられ、両テープはバックルＢにより使用者への取り付け、締め付け、取り外しが可能に連結されている。なお、本考案においてはヒップベルトの先端部にテープを上下二段に２枚にして取り付ける等、テープの構成や取り付け位置を変更することにより本リュックサックに係るヒップベルトの効果をさらに高めることができる。また、ヒップベルトの製作を本考案においては縫製によるものとしているが、バインディングテープ、接着剤等を用いて端辺部同士を接合して製作することもできる。
【００２６】
本考案は本リュックサックにおけるヒップベルトの構成に関するものであり、図２〜図１１はヒップベルトの構成を示すものである。本考案に係る第１実施形態のヒップベルトは左右のベルトにより構成され、各ヒップベルトは図２〜図４に示すように四角状パッド材５、第１の表生地６Ａと第２の表生地６Ｂとに分割された表生地及び裏生地６Ｃとにより構成されている。四角状パッド材５は図２（Ｃ）に示すように、腰椎パッドＬＰに取り付けられる辺部側（以下、「腰椎パッド側」という）の一方のコーナー部に斜めに切断されたコーナーカット部５１が形成され、他方のコーナー部に端部を開口して端部から中央部付近に亘り開口部を広くした先細り曲線状カット部５２が形成されており、パッド材５は図４（Ａ）に示すように所定の厚さ、例えば５ｍｍ〜１２ｍｍ程度の厚さを有している。
【００２７】
表生地は図２（Ａ）に示すように、第１と第２の表生地で構成されており、第１と第２の表生地を連結した形状はパッド材５と略同一である。第１の表生地６Ａは、腰椎パッド側の一方のコーナー部に、パッド材のコーナーカット部５１に対応する部位にコーナーカット部６１を形成し、下辺６１ＤＬをパッド材の曲線状カット部５２の上方側形状５２ＵＬに対応する形状としている。第２の表生地６Ｂは、上辺６１ＵＬを曲線状カット部の下方側形状５２ＤＬに対応する形状としている。裏生地６Ｃは図２（Ｂ）に示すように、形状をパッド材と略同一に形成し、腰椎パッド側の一方のコーナー部にパッド材のコーナーカット部５１に対応する部位にコーナーカット部６２を形成している。なお、パッド材５、第１の表生地６Ａと第２の表生地６Ｂのコーナー部に形成される斜めに切断されたコーナーカット部の傾斜は直線状の斜め線に限られず、ある程度の丸みを帯びた斜め線であってもよい。また、表生地６Ａには柔軟性及びある程度の強度を有するポリエチレンプラスチックプレートを補強用として取り付けることもできる。
【００２８】
次に、図３、図４を参照して第１実施形態に係る左右のヒップベルト４１の製作手順について説明する。図３（Ａ、Ｂ）に示すように、表生地の縦幅方向において人体方向に向けた湾曲状を形成するように第１の表生地６Ａの下辺部６１ＤＬと第２の表生地６Ｂの上辺部６１ＵＬとを縫い合せる。そして図３（Ｃ、Ｄ）に示すように、縫合された表生地６Ａ・Ｂと裏生地６Ｃとを腰椎パッド側を除く上辺部Ｓ２、下辺部Ｓ３及び先端辺部Ｓ４のそれぞれを縫い合せて開口部７１を開口した袋状体７を形成する。この袋状体は後述するように伸縮性を有するナイロン等を素材とするために伸縮性を有する。
【００２９】
次いで図４（Ａ、Ｂ）に示すように、開口部７１から内部にパッド材５を挿入した後、表生地と裏生地の腰椎パッド側の辺部７２を縫い合せる（Ｓ５）。そして第１の表生地下辺と第２の表生地上辺との縫合部Ｓ１に沿って、内部に挟み込まれたパッド材５を含めて表生地と裏生地とが縫い通されて（Ｓ６）左右のヒップベルト４１が製作され、ヒップベルトは後述するように腰椎パッドに取り付けられる。これらのヒップベルトは縦幅方向において人体方向に向けた曲面Ｃを形成する。
【００３０】
なお、図２〜図４では腰椎パッド側の上方のコーナー部にコーナーカット部を形成し、コーナー部の下方側端部から曲線状カット部を形成している構成を示しているが、本考案においては、上下対称となるようにコーナーカット部を下方のコーナー部に形成し、曲線状カット部を上方側端部から形成することもできる。また、後述する図７（Ａ）では腰椎パッド側の上方のコーナー部にダーツを形成し、コーナー部の下方側端部から曲線状カット部を形成しているが、本考案においては上下対称となるようにダーツを下方のコーナー部に形成し、曲線状カット部を上方側端部から形成することもできる。
【００３１】
パッド材及び生地のコーナーカット部の傾斜角度を小さくする（斜め形状を急傾斜とする）とヒップベルト曲面のカーブ度合が緩やかとなり緩やかな曲面を形成し、傾斜角度を大きくする（斜め形状を緩やかとする）とカーブ度合が大きくなり急な曲面を形成する。また、パッド材の曲線状カット部の上辺と下辺との間隔のカットサイズを大きくする（上辺と下辺との間隔幅を広くする）とカーブ度合が大きくなり急な曲面を形成し、カットサイズを小さくする（間隔幅を狭くする）とカーブ度合が小さくなり緩やかな曲面を形成する。後述する生地に作製されるダーツを狭く形成すると緩やかな曲面を形成し、ダーツを広く形成すると急な曲面を形成する。このようにコーナーカット部の傾斜角度、曲線状カット部の上辺と下辺との間隔のカットサイズ、ダーツの広狭を調節することにより使用者の男女、体格等に応じて容易に調整できる。
【００３２】
次に、図７（Ａ）を参照して、第１実施形態の第１の表生地６Ａ及び裏生地６Ｃに形成されるコーナーカット部６１、６２に代えてダーツを形成する構成例について説明する。この構成例においては、第１の表生地６Ａ及び裏生地６Ｃの腰椎パッド側の辺部７２を直線状に形成する。袋状体を形成した後又は形成する前に第１の表生地及び裏生地の腰椎パッド側の一方のコーナー部付近にＶ字状の任意数の襞を形成するダーツ８を作製する。そして開口部から袋状体の内部にパッド材を挿入した後又は挿入する前に、縦幅方向において人体方向に向けて湾曲するように襞部を縫い合せ、表生地と裏生地の腰椎パッド側の辺部７２を縫い合せて左右のヒップベルト４３が製作される。
【００３３】
ダーツの襞部を縫い合せることによりダーツが形成されるコーナー部は傾斜状となり、襞部を縫い合せて腰椎パッドの両側の辺部ＬＰＲ、ＬＰＬに縫い付けることにより、ダーツは第１、２の実施形態におけるコーナーカット部と同様に機能してヒップベルトの縦幅方向において人体方向に向けた曲面Ｃを形成する（図８（Ａ）参照）。なお、腰椎パッドの両側の辺部へのヒップベルトの縫い付けの後に襞部を縫い合せてもよい。
【００３４】
本考案に係る第２実施形態は、第１実施形態と同様に袋本体１、背面パネル２、背負いベルト３、ヒップベルト４を備えたリュックサックにおいてヒップベルトは左右のベルトから構成されるが、第２実施形態に係る各ヒップベルトは図５、図６に示すように表生地と裏生地が共に１枚生地で形成され、各生地には２つのコーナーカット部が形成されている。なお、ヒップベルトの左右両端部に取り付けられるテープＴの構成、コーナーカット部の傾斜の構成、コーナーカット部の傾斜角度、袋状体の伸縮性等については第１実施形態で説明したのでここでは省略する。
【００３５】
第２実施形態に係る四角状パッド材１５は、図５（Ｃ）に示すように、腰椎パッド側のコーナー部の上下にそれぞれ第１及び第２のコーナーカット部１５１，１５２を形成し、５ｍｍ〜１２ｍｍ程度の厚さを有している。第２実施形態に係る表生地１６Ａ及び裏生地１６Ｃは図５（Ａ、Ｂ）に示すように、表生地及び裏生地のそれぞれの形状がパッド材１５と略同一であり、各生地の腰椎パッド側のコーナー部の上下に、パッド材の各コーナーカット部に対応する部位にそれぞれ第１及び第２のコーナーカット部１６１、１６２、１６３、１６４を形成している。
【００３６】
次に、図６を参照して第２実施形態に係る左右のヒップベルト４２の製作手順について説明する。図６（Ａ、Ｂ）に示すように表生地と裏生地の上辺部Ｓ２、下辺部Ｓ３及び先端辺部Ｓ４のそれぞれを縫い合せて、腰椎パッド側の辺部１７２が開口された伸縮性を有する袋状体１７を形成する。
【００３７】
そして図６（Ｃ、Ｄ）に示すように、開口部１７１から内部にパッド材１５を挿入した後、表生地と裏生地の腰椎パッド側の辺部１７２を縫い合せて（Ｓ５）左右のヒップベルト４２が製作される。これらのヒップベルトは腰椎パッドに取り付けられて縦幅方向において人体方向に向けた曲面Ｃを形成する。第２実施形態に係るヒップベルトは第１実施形態に比べて製作工程を少なくすることができる。
【００３８】
図７（Ｂ）を参照して、第２実施形態の表生地１６Ａ及び裏生地１６Ｃに形成されるコーナーカット部１６１，１６２、１６３、１６４に代えて第１及び第２のダーツを形成する構成例について説明する。この構成例においては、表生地１６Ａ及び裏生地１６Ｃの腰椎パッド側の辺部１７２を直線状に形成する。袋状体１７を形成した後又は形成する前に表生地及び裏生地の腰椎パッド側の上下のコーナー部付近にＶ字状の任意数の襞を形成する第１及び第２のダーツ１８Ａ、１８Ｂを作製する。そして開口部から袋状体の内部にパッド材１５を挿入した後又は挿入する前に縦幅方向において人体方向に向けて湾曲するようにそれぞれの襞部を縫い合せ、表生地と裏生地の腰椎パッド側辺部１７２を縫い合せて左右のヒップベルト４４が製作される。
【００３９】
ダーツの襞部を縫い合せることによりダーツが形成されるコーナー部は傾斜状となり、襞部を縫い合せて腰椎パッドの両側辺部ＬＰＲ、ＬＰＬに縫い付けることにより、ダーツは第１、２の実施形態におけるコーナーカット部と同様に機能してヒップベルトの縦幅方向において人体方向に向けた曲面Ｃを形成する（図８（Ｂ）参照）。なお、腰椎パッドの両側辺部へのヒップベルトの縫い付けの後に襞部を縫い合せてもよい。
【００４０】
本考案においては、第１、第２の実施形態における表生地と裏生地の上辺部、下辺部及び先端辺部のそれぞれが縫合されて袋状体７、１７が形成された後に、当該袋状体の表裏を返して、裏返された袋状体にパッド材５、１５を挿入するように構成することができる。このように構成することにより、それぞれの縫い合せ部の縫い目や縫合跡等が隠れることとなりヒップベルトの見栄えがよくなる。
【００４１】
次に、図８（Ａ）、（Ｂ）を参照して第１、第２の実施形態に係る左右のヒップベルトの腰椎パッドへの取付けについて説明する。図中右側のヒップベルトは腰椎パッドへの取り付け状態を示し、左側のヒップベルトは腰椎パッドに取り付けた状態を示している。図８（Ａ）に示すように、第１実施形態に係る左右のヒップベルト４１並びに第１実施形態の第１の表生地及び裏生地に形成されるコーナーカット部に代えて任意数の襞を形成するＶ字状ダーツ８を形成する構成例に係る左右のヒップベルト４３は、それぞれの腰椎パッド側の辺部７２が全縦幅に亘り腰椎パッドの両側辺部ＬＰＬ、ＬＰＲに縫い付けられる。
【００４２】
ヒップベルトの上方側はコーナーカット部又は襞部を縫い合されたダーツを腰椎パッドに縫い付けることにより、下方側は第１の表生地下辺と第２の表生地上辺とを縫い合わせることによりそれぞれ縦幅方向において人体側に湾曲することになり、腰椎パッド側の辺部全体を腰椎パッドに縫い付けることによって、人体の腰のラインＢＬにフィットするように左右の各ヒップベルト４１、４３は縦幅方向において人体方向に向けた曲面Ｃを形成する。
【００４３】
図８（Ｂ）に示すように、第２実施形態に係る左右のヒップベルト４２並びに第２実施形態の表生地及び裏生地に形成されるコーナーカット部に代えて任意数の襞を形成する第１、第２のＶ字状ダーツ１８Ａ、１８Ｂを形成する構成例に係る左右のヒップベルト４４は、それぞれの腰椎パッド側の辺部１７２全体が腰椎パッドの両側辺部ＬＰＬ、ＬＰＲに縫い付けられる。
【００４４】
ヒップベルトの上方及び下方側は襞部が縫い合されたそれぞれのダーツを腰椎パッドに縫い付けることによりそれぞれ縦幅方向において人体側に湾曲することになり、腰椎パッド側辺部全体を腰椎パッドに縫い付けることによって、人体の腰のラインＢＬにフィットするように左右の各ヒップベルト４２、４４は縦幅方向において人体方向に向けた曲面Ｃを形成する。
【００４５】
なお、本考案においては、第１、２の実施形態における左右ヒップベルトのそれぞれの腰椎パッド側の辺部７２，１７２を、腰椎パッドの横幅分に相当する長さの表生地及び／又は裏生地等の別部材に縫い付けて連結されたヒップベルトとして形成し、腰椎パッドにヒップベルトが貫通可能なヒップベルト貫通部を形成して当該貫通部にヒップベルトを貫通させて連結されたヒップベルトの中心部を固定手段により腰椎パッドに固定するように構成することができる。
【００４６】
本考案に係る第３実施形態は、第１、第２実施形態と同様に袋本体１、背面パネル２、背負いベルト３、ヒップベルト４を備えたリュックサックにおけるヒップベルトに係るものであるが、第３実施形態に係るヒップベルト４５は図９〜図１１に示すように左右に分割されたものでなく一体型となっている。なお、ヒップベルトの左右両端部に取り付けられるテープＴの構成等については第１実施形態で説明したのでここでは省略する。
【００４７】
第３実施形態に係る長四角状パッド材２５は、図９（Ｃ）に示すように、中央部の縦幅を広く両端部の縦幅を狭くして、中心縦線を基準にして左右対称の長四角状に形成されており、腰椎パッドの左右側近傍に位置する部位の左側の上辺部及び下辺部にＶ字状の第１、第２の切り欠き部９Ａ、９Ｂを、右側の上辺部及び下辺部に第３、第４の切り欠き部９Ｃ、９Ｄをそれぞれ形成している。パッド材２５は５ｍｍ〜１２ｍｍ程度の厚さを有している。
【００４８】
表生地は、図９（Ａ）に示すように左右に分割されて第１、第２の生地で形成され、裏生地は図（Ｂ）に示すように１枚生地で形成されており、第１、第２の表生地を連結した形状はパッド材２５と略同一である。第１の表生地２６Ａの上辺部及び下辺部には、パッド材の左側に形成される第１、第２の切り欠き部のそれぞれに対応する部位にＶ字状の任意数の襞を形成する第１、第２のダーツ２８Ａ、２８Ｂが作製され、第２の表生地２６Ｂの上辺部及び下辺部には、パッド材の右側に形成される第３、第４の切り欠き部のそれぞれに対応する部位にＶ字状の任意数の襞を形成する第３、第４のダーツ２８Ｃ、２８Ｄが作製されている。裏生地２６Ｃはパッド材と略同一形状で形成されている。
【００４９】
次に、図１０、図１１を参照して第３実施形態に係るヒップベルト４５の製作手順について説明する。図１０（Ａ）に示すように、第１と第２の表生地の中央部分を重ね合せて所定幅の重ね合せ部を形成し、重ね合せ部２６２の上辺部と下辺部をそれぞれ縫い合せて（Ｓ１１、Ｓ１２）、パッド材２５を挿入するための開口部２６１を形成する。そして図１０（Ｂ）に示すように、重ね合せ部の上辺部と下辺部が縫合された表生地２６Ａ・Ｂと裏生地２６Ｃの開口部を除く各周辺部を縫い合せ、それぞれのダーツ２８Ａ〜２８Ｄの襞部を縦幅方向において人体方向に向けた湾曲状を形成するように縫い合せて（Ｓ１３〜Ｓ１６）開口部２６１を開口した伸縮性を有する袋状体２７を形成する。この袋状体は伸縮性を有するナイロン等を素材とするために伸縮性を有する。なお、袋状体２７を形成した後に、開口部を利用して当該袋状体の表裏を返して裏返された袋状体にパッド材を挿入するように構成することができる。また襞部の縫い合せはパッド材を挿入した後に実施してもよく、ダーツを表生地のみに形成しているが表生地及び裏生地の双方に形成してもよい。
【００５０】
パッド材は柔軟性を有するので折り曲げて開口部から容易に袋状体内部に挿入することができ、開口部２６１から内部にパッド材２５を挿入した（図１０（Ｃ））後、開口部が縫い通されて（Ｓ１７）ヒップベルト４５が製作される（図１１（Ａ））。パッド材を含めて開口部が縫い通されることによってパッド材は袋状体に固定されることになる。このようにして製作された第３実施形態に係るヒップベルト４５は、Ｖ字状の第１〜第４の切り欠き部に対応する第１、第２、第３、第４のダーツの襞部のそれぞれが縫い合されることによって人体の腰のラインにフィットするように縦幅方向において人体方向に向けた曲面Ｃを形成する。
【００５１】
そして、腰椎パッドＬＰにヒップベルトが貫通可能なヒップベルト貫通部９１を形成し、当該貫通部にヒップベルト４５を貫通させてヒップベルトの中心部分を固定手段９２により腰椎パッドに固定して取り付ける。腰椎パッドに固定することによってヒップベルトのズレを防ぐことができる。固定手段としては両者の固定部分端面に設けられるベルクロファスナ（商標）が好適に使用されるが、本考案においてはヒップベルト中心部分と腰椎パッドの係合手段として互いに係合し合うホック、磁石、ネジ止め等を使用することもできる。
【００５２】
本考案に係る第４実施形態は、第１、第２、第３実施形態と同様に袋本体１、背面パネル２、背負いベルト３、ヒップベルト４を備えたリュックサックにおけるヒップベルトに係るものであるが、第４実施形態に係るヒップベルト４６は第３実施形態と同様に一体型となっており、この構成例では第１実施形態の曲線状カット部と第３実施形態のダーツを形成する構成としている。なお、第１、第２、第３実施形態において説明した内容は省略してここでは異なる構成についてのみ説明する。
【００５３】
第４実施形態に係る長四角状パッド材３５は、図１２（Ｃ）に示すように、中央部の縦幅を広く両端部の縦幅を狭くして中心縦線を基準にして左右対称の長四角状に形成されており、腰椎パッドの左右側近傍に位置する部位の上辺部の左右にはＶ字状の第１及び第２の切り欠き部１０Ａ、１０Ｂを形成し、当該部位の下辺部の左右には端部を開口し、開口部を広くして開口部からパッド材の端部側に向けた先細り曲線状カット部５３、５４をそれぞれ形成し、所定厚さ、例えば５ｍｍ〜１２ｍｍ程度の厚さを有している。
【００５４】
表生地は、図１２（Ａ）に示すように左右に２つに分割されて、分割されたそれぞれの生地はさらに第１と第２、第３と第４の生地に分割された構成としている。第１〜第４の表生地全体を連結した形状はパッド材３５と略同一であり、第１の表生地３６Ａの上辺部には、パッド材の第１の切り欠き部１０Ａに対応する部位にＶ字状の任意数の襞を形成する第１のダーツ３８Ａを作製し、第３の表生地３６Ｃの上辺部には、パッド材に形成される第２の切り欠き部１０Ｂに対応する部位にＶ字状の任意数の襞を形成する第２のダーツ３８Ｂを作製している。
【００５５】
第１の表生地３６Ａの下辺部３６１ＤＬにはパッド材の曲線状カット部の上方側形状５３ＵＬに対応する形状を形成しており、第３の表生地３６Ｃの下辺部３６３ＤＬにはパッド材の曲線状カット部の上方側形状５４ＵＬに対応する形状を形成している。第２の表生地３６Ｂと第４の表生地３６Ｄは、第１、第３の表生地にそれぞれ結合される生地であり、それぞれの上辺３６２ＵＬ、３６４ＵＬを第１、第２の曲線状カット部の下方側形状５３ＤＬ、５４ＤＬに対応する形状としている。裏生地３６Ｅは図１２（Ｂ）に示すように１枚生地で形成されており、パッド材３５の形状と略同一である。
【００５６】
次に、図１３、図１４を参照して第４実施形態に係るヒップベルト４６の製作手順について説明する。図１３（Ａ、Ｂ）に示すように、第１の表生地の下辺部３６１ＤＬと第２の表生地の上辺部３６２ＵＬ、並びに第３の表生地の下辺部３６３ＤＬと第４の表生地の上辺部３６４ＵＬとをそれぞれ縦幅方向において人体方向に向けて湾曲するように縫合する（Ｓ１８、Ｓ１９）。そして縫合された一方の表生地３６Ａ・Ｂと他方の表生地３６Ｃ・Ｄの中央部分を重ね合せて重ね合せ部３６２の上辺部と下辺部をそれぞれ縫合せて（Ｓ１１、Ｓ１２）パッド材３５を挿入するための開口部３６１を形成する。
【００５７】
そして、図１３（Ｂ、Ｃ）に示すように、開口部が形成された表生地３６Ａ・Ｂ・Ｃ・Ｄと裏生地３６Ｅの開口部を除く各周辺部並びにそれぞれのダーツの襞部を縦幅方向において人体方向に向けて湾曲するように縫合せて（Ｓ２３、Ｓ２４）伸縮性を有する袋状体３７を形成する。パッド材は柔軟性を有するので折り曲げて開口部から容易に袋状体内部に挿入することができ、開口部３６１から袋状体内部にパッド材３５が挿入された後、図１４（Ａ）に示すように開口部が縫い合わされ（Ｓ２０）、そして第１の表生地の下辺部と第２の表生地の上辺部との縫合部Ｓ１８並びに第３の表生地の下辺部と第４の表生地の上辺部との縫合部Ｓ１９に沿って、内部に挿し込まれたパッド材３５を含めて表生地と裏生地とが縫い通されて（Ｓ２１、Ｓ２２）ヒップベルト４６が製作される。このように製作された第４実施形態に係るヒップベルト４６は人体の腰のラインにフィットするように縦幅方向において人体方向に向けた曲面Ｃを形成する。
【００５８】
そして、図１４（Ｂ）に示すように第３実施形態と同様に腰椎パッドＬＰにヒップベルトが貫通可能なヒップベルト貫通部９１を形成し、当該貫通部にヒップベルトを貫通させてヒップベルトの中心部分を固定手段９２により腰椎パッドに固定して取り付ける。腰椎パッドに固定することによってヒップベルトのズレを防ぐことができる。
【００５９】
なお、第３、４の実施形態においては表生地と裏生地双方を１枚生地で形成して、パッド材を両生地の間にサンドイッチ状に挟み込み表生地と裏生地の周辺部全体を縫合し、それぞれのダーツの襞部を縫い合せてヒップベルトを製作することもでき、また裏生地を表生地と同様に２分割した構成としてそれぞれを袋状体に形成し、襞部を縫い合せてパッド材を左右それぞれの袋体に挿入する構成とすることもできる。
【００６０】
本考案に係るパッド材の素材としては、ＥＶＡ樹脂、ポリエチレンフォーム又はこれらの素材にポリウレタンフォームを貼り合せたものであって、耐衝撃性、柔軟性を有する発泡材が好適に用いられる。また本考案に係る表生地の素材としては伸縮性を有するナイロン又はポリエステル好適に用いられ、裏生地の素材としてはメッシュ又は伸縮性を有するポリエステルが好適に用いられる。このような素材とすることによりパット材を袋状体に挿入する際に都合がよく、リュックサックにクッション性を持たせると共に通気性を確保することができる。ＥＶＡ樹脂はエチレンビニルアセテート樹脂とも呼ばれる熱可塑性樹脂であり、エチレン・酢酸ビニル共重合樹脂でエチレン含有量が高く酢酸ビニルの含有率が３〜４０％の範囲で多くの種類があり可撓性を有する。また水、紫外線に優れた安定性があると同時にゴム弾性、柔軟性、強靭性を有する。ＥＶＡ発泡体は耐衝撃性がありゴム弾性を有する。
【産業上の利用可能性】
【００６１】
本考案に係るヒップベルトは成形機を使用して製作することも可能であるが、ヒップベルトの曲面化という簡単な構造であるために低コストで縫製加工等によることができる。本考案に係るヒップベルトは構造が簡単で製法が容易であるために、通常の技術を持つ縫製工場において低コストによる生産が可能であり、リュックサック業界において広く採用されることが期待できる。
【符号の説明】
【００６２】
１      袋本体
２      背面パネル
３      背負いベルト
４、４１、４２、４３、４４、４５、４６    ヒップベルト
５、１５、２５、３５    パッド材
５１、６１、６２、１５１，１５２、１６１、１６２、１６３、１６４
コーナーカット部
５２、５３、５４    曲線状カット部
５２ＵＬ、５３ＵＬ、５４ＵＬ    曲線状カット部上方側形状
５２ＤＬ、５３ＤＬ、５４ＤＬ    曲線状カット部下方側形状
６Ａ、１６Ａ、２６Ａ、３６Ａ    第１の表生地
６Ｂ、２６Ｂ、３６Ｂ    第２の表生地
３６Ｃ    第３の表生地
３６Ｄ    第４の表生地
６１ＤＬ、３６１ＤＬ    第１の表生地下辺部
６１ＵＬ、３６２ＵＬ    第２の表生地上辺部
３６３ＤＬ    第３の表生地下辺部
３６４ＵＬ    第４の表生地上辺部
６Ｃ、１６Ｃ、２６Ｃ、３６Ｅ    裏生地
７、１７、２７、３７    袋状体
７１、１７１、２６１、３６１    開口部
７２、１７２    腰椎パッド側辺部
８、１８Ａ、１８Ｂ、２８Ａ、２８Ｂ、２８Ｃ、２８Ｄ、３８Ａ、３８Ｂ    ダーツ
９Ａ、９Ｂ、９Ｃ、９Ｄ、１０Ａ、１０Ｂ    切り欠き部
９１    ヒップベルト貫通部
９２    固定手段
２６２、３６２    重ね合せ部
ＳＰ    肩甲骨パッド
ＬＰ    腰椎パッド
ＬＰＬ  腰椎パッド左側辺部
ＬＰＲ  腰椎パッド右側辺部
Ｓ１、Ｓ２、Ｓ３、Ｓ４、Ｓ５、Ｓ６、Ｓ７、Ｓ１１、Ｓ１２、Ｓ１７、Ｓ１８、Ｓ１９、Ｓ２０、Ｓ２１、Ｓ２２    縫合部
Ｓ１３、Ｓ１４、Ｓ１５、Ｓ１６、Ｓ２３、Ｓ２４    ダーツの縫合部
Ｃ      曲面
ＢＬ    腰のライン
【図１】
0003200115.tif 000003
【図２】
0003200115.tif 000004
【図３】
0003200115.tif 000005
【図４】
0003200115.tif 000006
【図５】
0003200115.tif 000007
【図６】
0003200115.tif 000008
【図７】
0003200115.tif 000009
【図８】
0003200115.tif 000010
【図９】
0003200115.tif 000011
【図１０】
0003200115.tif 000012
【図１１】
0003200115.tif 000013
【図１２】
0003200115.tif 000014
【図１３】
0003200115.tif 000015
【図１４】
0003200115.tif 000016